【手続補正書】
【提出日】平成20年7月2日(2008.7.2)
【手続補正１】
【補正対象書類名】特許請求の範囲
【補正対象項目名】全文
【補正方法】変更
【補正の内容】
【特許請求の範囲】
【請求項１】
複数の希釈条件で検体を処理可能に構成された検体処理部と、
前記検体処理部で処理された検体を測定する測定手段と、
第１希釈条件と、前記第１希釈条件とは異なる第２希釈条件とを記憶するための希釈条件記憶手段と、
前記検体処理部に前記第１希釈条件で検体を処理させ、処理された検体を前記測定手段に測定させることにより第１測定値を取得する測定制御手段と、
前記第１測定値と、第１の閾値とを比較する比較手段と、
前記検体の被験者の検体が次に前記検体処理部に供されるとき、前記比較手段による比較結果に基づいて、前記第１希釈条件または前記第２希釈条件を次回希釈条件として決定する決定手段とを備えた、分析システム。
【請求項２】
前記第１希釈条件および前記第２希釈条件は、それぞれ希釈倍率を含み、
前記第２希釈条件に含まれる希釈倍率は、前記第１希釈条件に含まれる希釈倍率よりも大きく、
前記決定手段は、前記第１測定値が前記第１の閾値より大きい場合に、前記第２希釈条件を、前記次回希釈条件として決定する、請求項１に記載の分析システム。
【請求項３】
前記決定手段は、前記第１測定値が、前記第１の閾値より小さく、前記第１の閾値より小さい第２の閾値より大きい場合に、前記第１希釈条件を、前記次回希釈条件として決定する、請求項２に記載の分析システム。
【請求項４】
前記希釈条件記憶手段は、前記第１希釈条件および第２希釈条件とは異なる第３の希釈条件をさらに記憶し、
前記測定制御手段は、前記検体処理部に前記第２希釈条件で検体を処理させ、処理された検体を前記測定手段に測定させることにより第２測定値を取得し、
前記比較手段は、前記第２測定値と、第３の閾値とを比較し、
前記決定手段は、前記比較手段による比較結果に基づいて、前記第１希釈条件、前記第２希釈条件および前記第３希釈条件のうちいずれか１つを、前記次回希釈条件として決定する、請求項１〜３のいずれか１項に記載の分析システム。
【請求項５】
前記決定手段によって決定された前記次回希釈条件を、被験者を識別するための被験者識別情報と対応付けて記憶する被験者記憶手段をさらに備え、
前記測定制御手段は、前記検体を提供した被験者の検体を次に測定する際に、前記検体処理部に、前記被験者記憶手段に記憶された前記次回希釈条件で検体を処理させる、請求項１〜４のいずれか１項に記載の分析システム。
【請求項６】
前記決定手段によって決定された前記次回希釈条件を変更可能に表示する表示手段をさらに備えた、請求項１〜５のいずれか１項に記載の分析システム。
【請求項７】
前記第１希釈条件および前記第２希釈条件は、それぞれ希釈倍率を含み、
前記第２希釈条件に含まれる希釈倍率は、前記第１希釈条件に含まれる希釈倍率の１０倍以上である、請求項１〜６のいずれか１項に記載の分析システム。
【請求項８】
前記検体処理部と、前記測定手段と、前記測定制御手段と、前記比較手段と、を備えた分析装置と、
前記希釈条件記憶手段と、前記決定手段とを備え、前記分析装置に通信可能に接続された検査情報処理装置と、を備え、
前記決定手段は、前記比較手段による比較結果を前記分析装置から受信し、受信した比較結果に基づいて、前記第１希釈条件または前記第２希釈条件を、前記次回希釈条件として決定する、請求項１〜７のいずれか１項に記載の分析システム。
【請求項９】
複数の希釈条件で検体を処理可能に構成された検体処理部と、前記検体処理部で処理された検体を測定する測定手段と、前記検体処理部に前記第１希釈条件で検体を処理させ、処理された検体を前記測定手段に測定させることにより第１測定値を取得する測定制御手段と、前記第１測定値と、第１の閾値とを比較する比較手段と、を備えた分析装置に通信可能に接続された検査情報処理装置であって、
第１希釈条件と、前記第１希釈条件とは異なる第２希釈条件とを記憶するための希釈条件記憶手段と、
前記検体の被験者の検体が次に前記検体処理部に供されるとき、前記比較手段による比較結果に基づいて、前記第１希釈条件または前記第２希釈条件を次回希釈条件として決定する決定手段とを備えた、検査情報処理装置。
【請求項１０】
複数の希釈条件で検体を処理可能に構成された検体処理部と、前記検体処理部で処理された検体を測定する測定手段と、前記検体処理部に前記第１希釈条件で検体を処理させ、処理された検体を前記測定手段に測定させることにより第１測定値を取得する測定制御手段と、前記第１測定値と、第１の閾値とを比較する比較手段と、を備えた分析装置に通信可能に接続されたコンピュータを、
第１希釈条件と、前記第１希釈条件とは異なる第２希釈条件とを記憶するための希釈条件記憶手段と、
前記検体の被験者の検体が次に前記検体処理部に供されるとき、前記比較手段による比較結果に基づいて、前記第１希釈条件または前記第２希釈条件を次回希釈条件として決定する決定手段として機能させる、コンピュータプログラム。
【請求項１１】
複数の希釈条件で検体を処理可能に構成された検体処理部と、
前記検体処理部で処理された検体を測定する測定手段と、
第１希釈条件と、前記第１希釈条件とは異なる第２希釈条件とを記憶するための希釈条件記憶手段と、
前記検体処理部に前記第１希釈条件で検体を処理させ、処理された検体を前記測定手段に測定させることにより第１測定値を取得する測定制御手段と、
前記第１測定値と、第１の閾値とを比較する比較手段と、
前記検体の被験者の検体が次に前記検体処理部に供されるとき、前記比較手段による比較結果に基づいて、前記第１希釈条件または前記第２希釈条件を次回希釈条件として決定する決定手段とを備えた、分析装置。
【手続補正２】
【補正対象書類名】明細書
【補正対象項目名】０００８
【補正方法】変更
【補正の内容】
【０００８】
上記目的を達成するために、この発明の第１の局面による分析システムは、複数の希釈条件で検体を処理可能に構成された検体処理部と、検体処理部で処理された検体を測定する測定手段と、第１希釈条件と、第１希釈条件とは異なる第２希釈条件とを記憶するための希釈条件記憶手段と、検体処理部に第１希釈条件で検体を処理させ、処理された検体を測定手段に測定させることにより第１測定値を取得する測定制御手段と、第１測定値と、第１の閾値とを比較する比較手段と、前記検体の被験者の検体が次に前記検体処理部に供されるとき、前記比較手段による比較結果に基づいて、前記第１希釈条件または前記第２希釈条件を次回希釈条件として決定する決定手段とを備えている。
【手続補正３】
【補正対象書類名】明細書
【補正対象項目名】００１７
【補正方法】変更
【補正の内容】
【００１７】
この発明の第２の局面による検査情報処理装置は、複数の希釈条件で検体を処理可能に構成された検体処理部と、検体処理部で処理された検体を測定する測定手段と、検体処理部に第１希釈条件で検体を処理させ、処理された検体を測定手段に測定させることにより第１測定値を取得する測定制御手段と、第１測定値と、第１の閾値とを比較する比較手段と、を備えた分析装置に通信可能に接続された検査情報処理装置であって、第１希釈条件と、第１希釈条件とは異なる第２希釈条件とを記憶するための希釈条件記憶手段と、前記検体の被験者の検体が次に前記検体処理部に供されるとき、前記比較手段による比較結果に基づいて、前記第１希釈条件または前記第２希釈条件を次回希釈条件として決定する決定手段とを備えている。
【手続補正４】
【補正対象書類名】明細書
【補正対象項目名】００１９
【補正方法】変更
【補正の内容】
【００１９】
この発明の第３の局面によるコンピュータプログラムは、複数の希釈条件で検体を処理可能に構成された検体処理部と、検体処理部で処理された検体を測定する測定手段と、検体処理部に第１希釈条件で検体を処理させ、処理された検体を測定手段に測定させることにより第１測定値を取得する測定制御手段と、第１測定値と、第１の閾値とを比較する比較手段と、を備えた分析装置に通信可能に接続されたコンピュータを、第１希釈条件と、第１希釈条件とは異なる第２希釈条件とを記憶するための希釈条件記憶手段と、前記検体の被験者の検体が次に前記検体処理部に供されるとき、前記比較手段による比較結果に基づいて、前記第１希釈条件または前記第２希釈条件を次回希釈条件として決定する決定手段として機能させる。
【手続補正５】
【補正対象書類名】明細書
【補正対象項目名】００２１
【補正方法】変更
【補正の内容】
【００２１】
この発明の第４の局面による分析装置は、複数の希釈条件で検体を処理可能に構成された検体処理部と、検体処理部で処理された検体を測定する測定手段と、第１希釈条件と、第１希釈条件とは異なる第２希釈条件とを記憶するための希釈条件記憶手段と、検体処理部に第１希釈条件で検体を処理させ、処理された検体を測定手段に測定させることにより第１測定値を取得する測定制御手段と、第１測定値と、第１の閾値とを比較する比較手段と、前記検体の被験者の検体が次に前記検体処理部に供されるとき、前記比較手段による比較結果に基づいて、前記第１希釈条件または前記第２希釈条件を次回希釈条件として決定する決定手段とを備えている。